(57)【要約】【課題】  非使用時においては使用者に空間的な制約と圧迫感を与えことなく簡単に切換操作することができるものでありながら、使用時には流し台の上面に近い位置において食器類等の洗浄物の出し入れを楽な姿勢で容易に行う。【解決手段】  流し台の上方側に位置する固定部２に取付け可能な一対の取付け基材３の各々に、洗浄された洗浄物Ｗを水切り状態で載置可能な水切り棚４を平行又は略平行姿勢で昇降自在に支持する上下一対の昇降リンク５，６を枢着し、そのうち、少なくとも一つの昇降リンク５と取付け基材３との間には、水切り棚４を最下端の水切り位置と最上端の格納位置とに選択的に付勢保持可能な付勢手段７を設けてある。【選択図】        図５
2005288151.tif 000002
【特許請求の範囲】
【請求項１】
流し台の上方側に位置する固定部に取付け可能な一対の取付け基材の各々に、洗浄された洗浄物を水切り状態で載置可能な水切り棚を平行又は略平行姿勢で昇降自在に支持する昇降リンク機構を設けるとともに、水切り棚を最下端の水切り位置と最上端の格納位置とに選択的に付勢保持可能な付勢手段を設けてある水切り棚装置。
【請求項２】
流し台の上方側に位置する固定部に取付け可能な一対の取付け基材の各々に、洗浄された洗浄物を水切り状態で載置可能な水切り棚を平行又は略平行姿勢で昇降自在に支持する上下一対の昇降リンクを枢着するとともに、水切り棚を最下端の水切り位置と最上端の格納位置とに選択的に付勢保持可能な付勢手段を設けてある水切り棚装置。
【請求項３】
前記上下一対の昇降リンクの前端部が水切り棚の左右側板の前端側に枢支連結され、かつ、上下一対の昇降リンクの後端部が取付け基材の後端側に枢支連結されているとともに、格納位置で昇降リンクの前半側が水平又は略水平となるように、各昇降リンクが左右方向視において略への字状に屈曲形成されている請求項２記載の水切り棚装置。
【請求項４】
前記水切り棚が、線材を主材とする網棚と、これの前端縁又は後端縁に対して左右方向から嵌合自在な嵌合溝及び左右方向に沿うネジ止め用貫通孔を備えた剛性のある前後一対の枠体と、これら両枠体の左右端面に当て付けた状態で左右方向の外方側からネジ止め用貫通孔に捻じ込まれるビスにて締結される左右一対の側板とから構成されているとともに、前端側の枠体が網棚上に載置された洗浄物の落ち止め部に構成されている請求項２又は請求項３記載の水切り棚装置。
【請求項５】
前記上側昇降リンクの後端側同士又は下側昇降リンクの後端同士を固定連結する枠体と同一断面形状の連結部材が、左右方向の外方側からネジ止め用貫通孔に捻じ込まれるビスにて締結されている請求項２〜４のいずれか１項に記載の水切り棚装置。
【発明の詳細な説明】
【技術分野】
【０００１】
本発明は、洗浄直後の食器類や野菜等の洗浄物を水切り又は自然乾燥のために載置する水切り棚の改良技術に関する。
【背景技術】
【０００２】
従来では、流し台の上方側に位置する固定部の一例である吊り戸棚の下面に、食器類や野菜等の洗浄物を水きり状態で載置可能な線材を主材とする網棚を固定するか、若しくは、流し台のシンク上端縁又はシンクの側方に位置する載置台部に、洗浄物を水きり状態で載置可能な線材を主材とする網籠を載置する方法が採られている（特許文献１，２参照）。
【０００３】
【特許文献１】特開平７−３２７８４９号公報
【特許文献２】特開平８−１２６５３５号公報
【発明の開示】
【発明が解決しようとする課題】
【０００４】
従来の前者の場合は、流し台の上面から離間した吊り戸棚の下面に網棚を固定するため、流し台のシンク及びそれの側方に位置する載置台部を有効に活用することができるものの、吊り戸棚の下面から網棚が下方に常時突出するため、使用者に空間的な制約と圧迫感を与え易い。また、それを極力回避すべく、流し台の上面から網棚の下面までの空間を広くとると、洗浄された食器類等の洗浄物を網棚に載置するとき、或いは、網棚に載置された洗浄物を食器棚等に収納するときの上下方向での動作が大きくなり、取り扱いが不便になる問題がある。
【０００５】
更に、従来の後者の場合は、前者のように使用者に空間的な制約と圧迫感を与えことがないものの、流し台のシンクの一部又はそれの側方に位置する載置台部の一部が網籠の載置スペースとして使用されるため、流し台の上面スペースが狭くなり、しかも、非使用時においても網籠を保管するためのスペースが必要で、その保管管理に煩わされる問題がある。
【０００６】
本発明は、上述の実状に鑑みて為されたものであって、その主たる課題は、非使用時においては使用者に空間的な制約と圧迫感を与えことなく簡単に切換操作することができるものでありながら、使用時には流し台の上面に近い位置において食器類等の洗浄物の出し入れを楽な姿勢で容易に行うことのできる水切り棚装置を提供する点にある。
【課題を解決するための手段】
【０００７】
本発明の水切り棚装置による第１の特徴構成は、流し台の上方側に位置する固定部に取付け可能な一対の取付け基材の各々に、洗浄された洗浄物を水切り状態で載置可能な水切り棚を平行又は略平行姿勢で昇降自在に支持する昇降リンク機構を設けるとともに、水切り棚を最下端の水切り位置と最上端の格納位置とに選択的に付勢保持可能な付勢手段を設けてある点にある。
【０００８】
上記特徴構成によれば、食器類や野菜等の洗浄物の洗浄時には、流し台の上方側に位置する吊り戸棚の下面や壁面等の固定部に一対の取付け基材を取付けることにより、この取付け基材の各々に設けられた昇降リンク機構を介して支持された水切り棚を平行又は略平行姿勢のまま自由に昇降操作することができるとともに、水切り棚を最下端の水切り位置と最上端の格納位置とに選択的に付勢保持することができる。
【０００９】
それ故に、食器類や野菜等の洗浄物の洗浄時には、水切り棚を流し台の上面側に近づく水切り位置に保持することにより、洗浄された洗浄物を水切り棚に載置するとき、或いは水切り棚に載置された洗浄物を食器棚等に収納するとき、無理のない高さ位置で容易に取り扱うことができるとともに、非使用時には、水切り棚を流し台の上面から上方に大きく離間した格納位置に移動操作することにより、流し台の上面側の空間への水切り棚の張り出代が小さくなり、しかも、水切り棚が付勢手段によって移動付勢されているので、使用者に空間的な制約と圧迫感を与えことなく小さな操作力で切り換えることができる。
【００１０】
従って、非使用時においては使用者に空間的な制約と圧迫感を与えことなく簡単に切換操作することができるものでありながら、使用時には流し台の上面に近い位置において食器類等の洗浄物の出し入れを楽な姿勢で容易に行うことができる。
【００１１】
本発明の水切り棚装置による第２の特徴構成は、流し台の上方側に位置する固定部に取付け可能な一対の取付け基材の各々に、洗浄された洗浄物を水切り状態で載置可能な水切り棚を平行又は略平行姿勢で昇降自在に支持する上下一対の昇降リンクを枢着するとともに、水切り棚を最下端の水切り位置と最上端の格納位置とに選択的に付勢保持可能な付勢手段を設けてある点にある。
【００１２】
上記特徴構成によれば、食器類や野菜等の洗浄物の洗浄時には、流し台の上方側に位置する吊り戸棚の下面や壁面等の固定部に一対の取付け基材を取付けることにより、この取付け基材の各々に枢着された上下一対の昇降リンクを介して支持された水切り棚を平行又は略平行姿勢のまま自由に昇降操作することができるとともに、水切り棚を最下端の水切り位置と最上端の格納位置とに選択的に付勢保持することができる。
【００１３】
それ故に、食器類や野菜等の洗浄物の洗浄時には、水切り棚を流し台の上面側に近づく水切り位置に保持することにより、洗浄された洗浄物を水切り棚に載置するとき、或いは水切り棚に載置された洗浄物を食器棚等に収納するとき、無理のない高さ位置で容易に取り扱うことができるとともに、非使用時には、水切り棚を流し台の上面から上方に大きく離間した格納位置に移動操作することにより、流し台の上面側の空間への水切り棚の張り出代が小さくなり、しかも、水切り棚が付勢手段によって移動付勢されているので、使用者に空間的な制約と圧迫感を与えことなく小さな操作力で切り換えることができる。
【００１４】
従って、非使用時においては使用者に空間的な制約と圧迫感を与えことなく簡単に切換操作することができるものでありながら、使用時には流し台の上面に近い位置において食器類等の洗浄物の出し入れを楽な姿勢で容易に行うことができる。
【００１５】
本発明の水切り棚装置による第３の特徴構成は、前記上下一対の昇降リンクの前端部が水切り棚の左右側板の前端側に枢支連結され、かつ、上下一対の昇降リンクの後端部が取付け基材の後端側に枢支連結されているとともに、格納位置で昇降リンクの前半側が水平又は略水平となるように、各昇降リンクが左右方向視において略への字状に屈曲形成されている点にある。
【００１６】
上記特徴構成によれば、水切り棚が最上端の格納位置にあるときには、水平又は略水平となる昇降リンクの前半部が水切り棚の左右両側に沿って位置するため、昇降リンク対の下方への張り出し量が少なくなり、水切り棚装置の格納状態でのコンパクト化と昇降リンク対等に対する化粧カバー構造の簡素化を図ることができる。
【００１７】
しかも、格納位置にある水切り棚を最下端の水切り位置に移動させたとき、その移動に連れて水切り棚全体が後方側に変位するため、流し台の前端から水切り棚の前端までの前後方向での間隔が大きくなり、使用時においても使用者に空間的な制約と圧迫感を与えることを回避することができる。
【００１８】
本発明の水切り棚装置による第４の特徴構成は、前記水切り棚が、線材を主材とする網棚と、これの前端縁又は後端縁に対して左右方向から嵌合自在な嵌合溝及び左右方向に沿うネジ止め用貫通孔を備えた剛性のある前後一対の枠体と、これら両枠体の左右端面に当て付けた状態で左右方向の外方側からネジ止め用貫通孔に捻じ込まれるビスにて締結される左右一対の側板とから構成されているとともに、前端側の枠体が網棚上に載置された洗浄物の落ち止め部に構成されている点にある。
【００１９】
上記特徴構成によれば、網棚の前端縁及び後端縁に対して夫々左右方向から剛性のある枠体の嵌合溝を嵌合したのち、網棚を嵌合保持する前後一対の枠体の左右端面とそれに当て付けられた側板とを、各枠体のネジ止め用貫通孔に対して左右方向の外方側から捻じ込まれるビスにて締結するだけであるから、剛性に優れた水切り棚を能率良く製作することができるとともに、網棚上に載置された洗浄物の前方への滑落も、網棚の前端縁を嵌合保持する枠体を利用して防止することができる。
【００２０】
本発明の水切り棚装置による第５の特徴構成は、前記上側昇降リンクの後端側同士又は下側昇降リンクの後端同士を固定連結する枠体と同一断面形状の連結部材が、左右方向の外方側からネジ止め用貫通孔に捻じ込まれるビスにて締結されている点にある。
【００２１】
上記特徴構成によれば、左右方向で相対向する二組の昇降リンク対の動きが連結部材を介して一体化されるから、二組の昇降リンク対のずれ動きが少なくなり、水切り棚を滑らかに昇降させることができるとともに、そのための連結部材としても、嵌合溝及びネジ止め用貫通孔を備えた剛性のある枠体をそのまま利用して構成するから、製造コストの低廉化と組付けの容易化を図ることができる。
【発明を実施するための最良の形態】
【００２２】
〔第１実施形態〕
図１〜図８は、流し台１のシンク１Ａの上方側に位置する固定部の一例である吊り戸棚２の下面２ａに取付けられた水切り棚装置を示し、吊り戸棚２の下面２ａの左右両側に取付け可能な一対の金属製の取付け基材３の各々に、洗浄された食器類や野菜等の洗浄物Ｗを水切り状態で載置可能な金属製の水切り棚４を平行又は略平行な水平姿勢で昇降自在に支持するための昇降リンク機構Ａを構成する上下一対の金属製の昇降リンク５，６が枢着され、そのうち、上側に位置する左右の昇降リンク５と取付け基材３との間には、水切り棚４を最下端の水切り位置と最上端の格納位置とに選択的に保持可能で、かつ、格納位置側に移動付勢する付勢手段７が設けられているとともに、前記各取付け基材３の外面側には、付勢手段７等を覆う合成樹脂製のカバー８が脱着自在に取付けられている。
【００２３】
そして、食器類や野菜等の洗浄物Ｗの洗浄時には、図１、図３に示すように、水切り棚４を流し台１のシンク１Ａ上面側に近づく水切り位置に保持することにより、洗浄された洗浄物Ｗを水切り棚４に載置するとき、或いは水切り棚４に載置された洗浄物Ｗを食器棚等に収納するとき、無理のない高さ位置で容易に取り扱うことができるとともに、非使用時には、図１、図２に示すように、水切り棚４を流し台１のシンク１Ａ上面から上方に大きく離間した格納位置に移動操作することにより、流し台１の上面側の空間への水切り棚４の張り出代が小さくなり、しかも、水切り棚４が付勢手段７によって格納位置側に移動付勢されているので、使用者に空間的な制約と圧迫感を与えことなく小さな操作力で格納することができる。
【００２４】
前記取付け基材３は、図４〜図６、図８に示すように、前後方向視において略Ｌ字状に折り曲げ形成された両板部３Ａ，３Ｂからなり、そのうち、水平方向に沿う第１取付け板部３Ａには、吊り戸棚２の下面２ａにビス１０で締付け固定するためのビス孔３ａが形成されているとともに、鉛直方向に沿う第２取付け板部３Ｂの内側面の後端側には、上下一対の昇降リンク５，６の後端部５ｂ，６ｂが水平軸芯Ｘ３，Ｘ４周りで上下揺動自在に枢支ピン１１にて枢支連結されている。
【００２５】
前記上下一対の昇降リンク５，６の前端部５ａ，６ａは、水切り棚４を構成する左右側板１３の外側面の前端側に水平軸芯Ｘ１，Ｘ２周りで上下揺動自在に枢支ピン１２にて枢支連結されているとともに、格納位置で昇降リンク５，６の前半側が水平又は略水平となるように、各昇降リンク５，６が左右方向視において略への字状に屈曲形成されている。
【００２６】
また、図４、図６に示すように、前記上側昇降リンク５の前端部５ａと水切り棚４の左右側板１３との第１枢支連結軸芯Ｘ１、及び下側昇降リンク６の前端部６ａと水切り棚４の左右側板１３との第２枢支連結軸芯Ｘ２は、上側昇降リンク５の後端部５ｂと取付け基材３の第２取付け板部３Ｂとの第３枢支連結軸芯Ｘ３、及び下側昇降リンク６の後端部６ｂと取付け基材３の第２取付け板部３Ｂとの第４枢支連結軸芯Ｘ４に対して、水切り棚４が格納位置にある状態では上方に位置し、かつ水切り棚４が水切り位置にある状態では下方に位置するように構成されている。
【００２７】
前記付勢手段７を構成するに、図５〜図７に示すように、各上側昇降リンク５の後端部５ｂから後方側に延出された延長連結部５ｃに、取付け基材３の第２取付け板部３Ｂに形成された第３枢支連結軸芯Ｘ３を半径中心とする弧状長孔３ｂを通して左右方向の外方側に突出する係止ピン７Ａが突設され、この係止ピン７Ａの係止溝に係止保持された引張コイルバネ７Ｂの他端部には、ネジ孔７ａを備えたネジ部材７Ｃがコイル軸芯方向から螺合固定されているとともに、第２取付け板部３Ｂの前端側で、かつ格納位置にある上下一対の昇降リンク５，６間に相当する部位には、ネジ部材７Ｃのネジ孔７ａに対してコイル軸芯方向から螺合される調節操作用ネジ７Ｄを挿通状態で係止保持する係止片７Ｅが切り越し形成されている。
【００２８】
そして、水切り棚４が格納位置にある状態では、図６に示すように、前記係止ピン７Ａの中心と係止片７Ｅの中心とを結ぶ線分Ｙに対して、上側昇降リンク５の後端部５ｂと取付け基材３の第２取付け板部３Ｂとの第３枢支連結軸芯Ｘ３が上方側に大きく変位した部位に位置し、水切り棚４が水切り位置にある状態では、図４に示すように、前記線分Ｙに対して第３枢支連結軸芯Ｘ３が上方側の近傍に位置するように構成して、引張コイルバネ７Ｂの弾性復元力で水切り棚４を格納位置側に移動付勢するとともに、水切り位置においては、引張コイルバネ７Ｂの上方への弾性復元力よりも水切り棚４及び二組の昇降リンク５，６対の自重による下方への付勢力が強いため、水切り棚４は水切り位置と格納位置とに選択的に安定して保持することができるように構成されている。
【００２９】
また、前記水切り棚４が格納位置に到達したときに係止ピン７Ａが弧状長孔３ｂの下端に当接し、前記水切り棚４が水切り位置に到達したときに係止ピン７Ａが弧状長孔３ｂの上端に当接するように設定して、この弧状長孔３ｂが、水切り棚４を格納位置及び水切り位置で規制するためのストッパー手段に構成されている。
【００３０】
前記水切り棚４が、ステンレス鋼製の線材１４Ａ，１４Ｂを主材とする網棚１４と、これの前端縁又は後端縁に対して左右方向から嵌合自在な嵌合溝１５ａ及び左右方向に沿う二つのネジ止め用貫通孔１５ｂを一体形成する中空筒状にアルミニウム合金にて押出し成形された剛性のある前後一対の枠体１５と、これら両枠体１５の左右端面に当て付けた状態で左右方向の外方側から両ネジ止め用貫通孔１５ｂに捻じ込まれるビス１６にて締付け固定される左右一対のステンレス鋼製の側板１３とから構成されている。
【００３１】
前記枠体１５は、横断面形状が略長円形状の筒状に押出し成形されていて、その短径方向の一側壁部には、短径方向の外方に向かって開口する前記嵌合溝１５ａを形成するための凹部が形成されているとともに、長径方向で相対向する壁部の内面の各々には、長径方向の内方に向かって開口する両ネジ止め用貫通孔１５ｂを形成するためのＣ字状筒部が突出形成されている。
【００３２】
そして、枠体１５のネジ止め用貫通孔１５ｂにビス１６が捻じ込み操作されたとき、このネジ止め用貫通孔１５ｂを形成するＣ字状筒部が拡径しながらビス１６を挾持するから、ビス１６の緩みを抑制することができる。
【００３３】
前記網棚１４は、前後方向に沿う姿勢で左右方向に所定ピッチで配置される多数の第１線材１４Ａの後端側を逆方向に二度９０度曲げ形成し、この形成された左右方向視略逆Ｌ字状の後部線材部分１４ａをもって、載置された洗浄物Ｗの後方側への滑落を防止する立ち上がり壁部１４Ｃが構成されているとともに、第１線材１４Ａ群の前端下面に亘る部位と後端下面に亘る部位の各々に、左右方向に沿う姿勢で第２線材１４Ｂを溶接等の適宜手段で固着して、枠体１５の嵌合溝１５ａに対して左右方向からのみ抜き差し操作自在な嵌合部１４Ｄが構成されている。
【００３４】
また、前記第１線材１４Ａ群の下面のうち、立ち上がり壁部１４Ｃから前方に少し変位した位置に亘って、左右方向に沿う姿勢で補強用の第２線材１４Ｂが溶接等の適宜手段で固着されているとともに、網棚１４の前端縁に形成された嵌合部１４Ｄに嵌合された枠体１５のうち、網棚１４の載置面よりも上方に突出する部分が、網棚１４上に載置された洗浄物Ｗの落ち止め部に構成されている。
【００３５】
そして、前記網棚１４の前端縁に形成された嵌合部１４Ｄ及び後端縁に形成された嵌合部１４Ｄに対して夫々左右方向から剛性のある枠体１５の嵌合溝１５ａを嵌合したのち、網棚１４を嵌合保持する前後一対の枠体１５の左右端面とそれに当て付けられた側板１３とを、各枠体１５のネジ止め用貫通孔１５ｂに対して左右方向の外方側、つまり、側板１３の外側面から捻じ込まれるビス１６にて締付け固定するだけであるから、剛性に優れた水切り棚４を能率良く製作することができるとともに、網棚１４上に載置された洗浄物Ｗの前方への滑落も、網棚１４の前端縁を嵌合保持する枠体１５を利用して防止することができる。
【００３６】
また、左右の上側昇降リンク５の延長連結部５ｃに亘って、枠体１５と同一断面形状、同一材質の連結部材１７が、左右方向の外方側から、つまり延長連結部５ｃの外側面からネジ止め用貫通孔１５ｂに捻じ込まれるビス１６にて締付け固定されている。
【００３７】
そして、左右方向で相対向する二組の昇降リンク５，６対の動きが連結部材１７を介して一体化されるから、二組の昇降リンク対５，６のずれ動きが少なくなり、水切り棚４を滑らかに昇降させることができるとともに、そのための連結部材１７としても、嵌合溝１５ａ及びネジ止め用貫通孔１５ｂを備えた剛性のある枠体１５をそのまま利用して構成するから、製造コストの低廉化と組付けの容易化を図ることができる。
【００３８】
前記取付け基材３の第２取付け板部３Ｂの側辺の複数箇所を外側方に打ち出し形成して、前記カバ−８の周縁の複数箇所に形成された係止片８ａが脱着自在に係合される係合凹部３ｃが形成されている。
【００３９】
〔第２実施形態〕
上述の第１実施形態では、前記水切り棚４の載置面を格納位置及び水切り位置の何れにあるときも、二組の昇降リンク対５，６に対して水平になるように取付けたが、図９に示すように、水切り棚４の載置面を、その先端側が上方に位置する緩やかな傾斜姿勢となるように、水平面に対して約２度の傾斜角度θで二組の昇降リンク対５，６に取付けてもよい。
【００４０】
この第２実施形態の場合は、洗浄された洗浄物Ｗの載置に伴って水切り棚４に水分が付着したとき、この付着した水滴を水切り棚４の勾配に沿って後方側に流下案内することができるので、水切り棚４を水切り位置で前方側に配置しても、水滴が洗い場側に落下することを抑制することができる。
尚、その他の構成は、第１実施形態で説明した構成と同一であるから、同一の構成箇所には、第１実施形態と同一の番号を付記してそれの説明は省略する。
【００４１】
〔その他の実施形態〕
（１）上述の第１実施形態では、水切り棚４が最下端の水切り位置にあるとき、引張コイルバネ７Ｂによる上方側への弾性付勢力を小さくし、水切り棚４及び二組の昇降リンク５，６対の自重による下方への付勢力を利用して、水切り棚４を水切り位置に付勢保持するように構成したが、引張コイルバネ７Ｂの弾性付勢力の一部を利用して、水切り棚４を水切り位置に付勢保持することができるように構成してもよく、また、引張コイルバネ７Ｂの代わりにエアースプリング等を用いて実施してもよい。
要するに、前記付勢手段７としては、水切り棚４を最下端の水切り位置と最上端の格納位置とに選択的に付勢保持することのできるものであれば、如何なる構造のものを用いてもよい。
（２）上述の第１実施形態では、流し台１の上方側に位置する吊り戸棚２の下面２ａに水切り棚装置を取付けたが、この水切り棚装置を、流し台１の上方側に位置する側壁面に取付けてもよい。
（３）上述の第１実施形態では、格納位置で昇降リンク５，６の前半側が水平又は略水平となるように、各昇降リンク５，６を左右方向視において略への字状に屈曲形成したが、各昇降リンク５，６を一直線状に形成して実施してもよい。
（４）上述の第１実施形態では、左右の上側昇降リンク５とそれらに対応する取付け基材３との間の各々に、水切り棚４を最下端の水切り位置と最上端の格納位置とに選択的に保持可能で、かつ、格納位置側に移動付勢する付勢手段７を設けたが、この付勢手段７を、一方の上側昇降リンク５とそれに対応する取付け基材３との間にのみ設けてもよく、また、下側昇降リンク６とそれに対応する取付け基材３との間の少なくとも一方に付勢手段７を設けてもよい。
要するに、前記付勢手段７は少なくとも一つの昇降リンク５又は６と取付け基材３との間に設ければよい。
（５）上述の第１実施形態では、水切り棚４を格納位置側に移動付勢する付勢手段７を設けて、小さな人為操作力で水切り棚４を水切り位置と格納位置とに選択的に切り換えるように構成したが、電動モータ等の駆動手段で水切り棚４を水切り位置と格納位置とに選択的に切り換えるように構成してもよい。
（６）上述の第１実施形態では、前記上側昇降リンク５の後端側同士を枠体１５と同一断面形状の連結部材１７で固定連結したが、下側昇降リンク６の後端同士を枠体１５と同一断面形状の連結部材１７で固定連結してもよい。
また、前記連結部材１７として枠体１５と横断面形状の異なるものを用いて実施してもよく、更に、上側昇降リンク５の後端部又は下側昇降リンク６の後端と連結部材１７とを溶接等で一体的に固着してもよい。
【００４２】
（７）上述の第１実施形態では、前記昇降リンク機構Ａを上下一対の昇降リンク５，６から構成したが、この昇降リンク機構Ａをパンタグラフ状に枢支連結されたリンクから構成してもよい。
要するに、前記昇降リンク機構Ａとしては、洗浄された食器類や野菜等の洗浄物Ｗを水切り状態で載置可能な水切り棚４を平行又は略平行な水平姿勢で昇降自在に支持することのできるものであれば、如何なる構造のリンク機構を用いてもよい。
【図面の簡単な説明】
【００４３】
【図１】本発明の水切り棚装置の第１実施形態を示し、水切り棚が格納位置にあるときの全体の側面図
【図２】水切り棚が格納位置にあるときの全体の正面図
【図３】水切り棚が水切り位置にあるときの全体の正面図
【図４】水切り棚が水切り位置にあるときの要部の拡大側面図
【図５】水切り棚が水切り位置にあるときの要部の拡大正面図
【図６】水切り棚が格納位置にあるときの要部の拡大側面図
【図７】付勢手段の拡大一部破断側面図
【図８】水切り棚及び昇降リンクの要部の分解斜視図
【図９】本発明の水切り棚装置の第２実施形態を示す水切り棚が格納位置にあるときの要部の拡大側面図
【符号の説明】
【００４４】
Ａ        リンク機構
１        流し台
２        固定部（吊り戸棚）
２ａ      下面
３        取付け基材
４        水切り棚
５        上側昇降リンク
５ａ      前端部
５ｂ      後端部
６        下側昇降リンク
６ａ      前端部
６ｂ      後端部
７        付勢手段
１３      側板
１４      網棚
１４Ａ    線材（第１線材）
１４Ｂ    線材（第２線材）
１５      枠体
１５ａ    嵌合溝
１５ｂ    ネジ止め用貫通孔
１６      ビス
１７      連結部材
【図１】
2005288151.tif 000003
【図２】
2005288151.tif 000004
【図３】
2005288151.tif 000005
【図４】
2005288151.tif 000006
【図５】
2005288151.tif 000007
【図６】
2005288151.tif 000008
【図７】
2005288151.tif 000009
【図８】
2005288151.tif 000010
【図９】
2005288151.tif 000011